(57)【要約】【課題】空間を仕切ったり開放したりする機能以外に半閉鎖的な空間を提供したり、机として利用できる可動間仕切り装置を提供する。【解決手段】可動間仕切り装置１は、第１壁材１０と第２壁材２０と天板３０と天板保持部５０とを備える。第１壁材１０は、幅方向一端側が部屋の上部に設けたレール６０に沿って移動するように、鉛直方向に沿って保持される。第２壁材２０は、幅方向一端側がレール６０に沿って移動するように鉛直方向に沿って保持され、幅方向他端側が第１壁材１０の幅方向他端側にヒンジを介して連結されている。天板３０は、第１壁材１０と第２壁材２０とを略直角に交差させた状態で、第１壁材１０及び第２壁材２０に対して、上面が略垂直になるように保持される。天板保持部５０は、第２壁材２０に設けられ、天板３０の使用時に、天板３０の上面が第１壁材１０及び第２壁材２０に対してそれぞれ略垂直となるように天板３０を保持する。【選択図】図１
2012225092.tif 000002
【特許請求の範囲】
【請求項１】
幅方向一端側が部屋の上部に設けたレールに沿って移動するように鉛直方向に沿って保持された第１壁材と、
幅方向一端側が前記レールに沿って移動するように鉛直方向に沿って保持され、幅方向他端側が前記第１壁材の幅方向他端側にヒンジを介して連結された第２壁材と、
前記第１壁材と前記第２壁材とを略直角に交差させた状態で、前記第１壁材及び前記第２壁材に対して、上面が略垂直になるように保持される天板と、
前記第１壁材及び前記第２壁材の内の少なくとも何れか一方に設けられ、前記天板の使用時に、前記天板の上面が前記両壁材に対して略垂直となるように前記天板を保持する天板保持部とを備えたことを特徴とする可動間仕切り装置。
【請求項２】
前記天板の非使用時に、前記天板が前記第１壁材の表面に沿わせた状態で保持されることを特徴とする請求項１記載の可動間仕切り装置。
【請求項３】
前記天板が前記第１壁材の表面に沿わせた状態で保持される第１状態と、前記天板の上面が前記第１壁材の表面に対して略垂直となる第２状態との間で前記天板を回転自在に支持する支持部が、前記第１壁材に設けられたことを特徴とする請求項２記載の可動間仕切り装置。
【請求項４】
前記第１壁材には、前記天板の非使用時に、前記天板を前記第１壁材の表面に沿わせた状態で収納する第１収納部が設けられ、前記天板が前記第１収納部に収納された状態で、前記天板の表面と前記第１壁材の表面とが略同じ平面に納まっていることを特徴とする請求項１乃至３の何れか１項に記載の可動間仕切り装置。
【請求項５】
前記第１壁材及び前記第２壁材の内、前記天板保持部が設けられた壁材には、前記天板保持部が前記天板を保持しない状態において前記天板保持部を収納する第２収納部が設けられたことを特徴とする請求項１乃至４の何れか１項に記載の可動間仕切り装置。
【発明の詳細な説明】
【技術分野】
【０００１】
本発明は、可動間仕切り装置に関するものである。
【背景技術】
【０００２】
従来、２枚の戸板の端部同士がヒンジ部を介して折り畳み自在に連結され、ヒンジ部と反対側の端部で、各戸板の端部がレールに対して走行自在に取り付けられた折り畳み扉が提案されている（例えば特許文献１参照）。
【先行技術文献】
【特許文献】
【０００３】
【特許文献１】特開平８−１６５８３８号公報
【発明の概要】
【発明が解決しようとする課題】
【０００４】
上述した従来の折り畳み扉では、複数枚の戸板が折り畳まれると全開状態となり、複数枚の戸板がレールの延びる方向に沿って並べられると全閉状態となっている。このように、従来の間仕切り装置は、空間を仕切って２部屋にする全閉状態と、空間を開放して１部屋とする全開状態とで使用されるものであった。
【０００５】
本発明は上記課題に鑑みて為されたものであり、その目的とするところは、空間を仕切ったり開放したりする機能以外に半閉鎖的な空間を提供したり、机として利用できる可動間仕切り装置を提供することにある。
【課題を解決するための手段】
【０００６】
本願の可動間仕切り装置は、第１壁材と第２壁材と天板と天板保持部とを備える。第１壁材は、幅方向一端側が部屋の上部に設けたレールに沿って移動するように鉛直方向に沿って保持される。第２壁材は、幅方向一端側がレールに沿って移動するように鉛直方向に沿って保持され、幅方向他端側が第１壁材の幅方向他端側にヒンジを介して連結される。天板は、第１壁材と第２壁材とを略直角に交差させた状態で、第１壁材及び第２壁材に対して、上面が略垂直になるように保持される。天板保持部は、第１壁材及び第２壁材の内の少なくとも何れか一方に設けられ、天板の使用時に、天板の上面が両壁材に対して略垂直となるように天板を保持する。ここにおいて、第１壁材と第２壁材とを略直角に略直角に交差させた状態で、第１壁材及び第２壁材に対して、天板の上面が略垂直になるように保持されるとあるが、第１壁材及び第２壁材が交差する角度は直角に限定されるものではなく、第１壁材及び第２壁材に対して、天板の上面が略垂直になるように保持できるのであれば、第１壁材及び第２壁材を斜めに交差させてもよい。また、第１壁材及び第２壁材に対して天板の上面が略垂直になるように保持されるとあるが、第１壁材及び第２壁材に対して天板の上面のなす角度は直角に限定されるものではなく、天板の上面を作業面として利用可能な角度範囲であればよい。
【０００７】
この可動間仕切り装置において、天板の非使用時に、天板が第１壁材の表面に沿わせた状態で保持されることも好ましい。
【０００８】
この可動間仕切り装置において、天板が第１壁材の表面に沿わせた状態で保持される第１状態と、天板の上面が第１壁材の表面に対して略垂直となる第２状態との間で天板を回転自在に支持する支持部が、第１壁材に設けられることも好ましい。
【０００９】
この可動間仕切り装置において、第１壁材には、天板の非使用時に、天板を第１壁材の表面に沿わせた状態で収納する第１収納部が設けられ、天板が第１収納部に収納された状態で、天板の表面と第１壁材の表面とが略同じ平面に納まっていることも好ましい。ここにおいて、天板の表面と第１壁材の表面とが略同じ平面に納まるとは、天板の表面と第１壁材の表面との間に段差がほとんど無く、略等レベル（所謂、面一）となっている状態をいう。
【００１０】
この可動間仕切り装置において、第１壁材及び第２壁材の内、天板保持部が設けられた壁材には、天板保持部が天板を保持しない状態において天板保持部を収納する第２収納部が設けられることも好ましい。
【発明の効果】
【００１１】
本発明によれば、空間を仕切ったり開放したりする機能以外に半閉鎖的な空間を提供したり、机としても利用することができる。
【図面の簡単な説明】
【００１２】
【図１】本実施形態の可動間仕切り装置を示し、（ａ）は折り畳まれた状態の斜視図、（ｂ）は間仕切り時の斜視図、（ｃ）は中間状態の斜視図、（ｄ）は天板使用時の斜視図である。
【図２】同上の可動間仕切り装置を示し、（ａ）は天板収納時の斜視図、（ｂ）は天板保持部を出した状態の斜視図、（ｃ）は天板使用時の斜視図、（ｄ）は天板使用時の矢視Ｄ図である。
【図３】同上の可動間仕切り装置の要部を示す分解斜視図である。
【図４】同上の可動間仕切り装置の使用状態図である。
【図５】可動間仕切り装置の別の形態を示し、（ａ）は天板収納状態を図１（ｃ）のＣ１方向から見た図、（ｂ）は天板を起こした状態を図１（ｃ）のＣ１方向から見た図、（ｃ）は天板ラッチ時の要部を図１（ｃ）のＣ２方向から見た図である。
【図６】可動間仕切り装置のまた別の形態を示し、（ａ）は天板収納状態を図１（ｃ）のＣ１方向から見た図、（ｂ）は天板を起こした状態を図１（ｃ）のＣ１方向から見た図、（ｃ）は天板ラッチ時の要部を拡大した側面図である。
【発明を実施するための形態】
【００１３】
本実施形態の可動間仕切り装置を図１〜図４を参照して説明する。
【００１４】
図１（ａ）〜（ｄ）は可動間仕切り装置１の各使用状態における斜視図、図３は可動間仕切り装置１の要部を示す分解斜視図である。この可動間仕切り装置１は、天板３０が取り付けられた第１壁材１０と、第２壁材２０とを交互に２個ずつ連結して構成されている。
【００１５】
図４は可動間仕切り装置１が設置された部屋１００を示し、ユーザは、この可動間仕切り装置１を用いて、部屋１００内を２つの空間１０１，１０２に仕切る状態と、２つの空間１０１，１０２を繋げて１部屋にする状態とを選択することができる。部屋１００の天井付近には、２つの空間１０１，１０２の境界に沿って仕切り板１０３が設置されており、この仕切り板１０３には第１壁材１０及び第２壁材２０をスライド移動させるためのレール６０が取り付けられている。
【００１６】
第１壁材１０及び第２壁材２０は、それぞれ、外形寸法（高さ、幅、厚み）が略同じ矩形板状に形成されており、その高さ寸法は仕切り板１０３の下部から床面までの略全体を覆えるような寸法に設定されている。
【００１７】
第１壁材１０の幅方向一端側には、レール６０にスライド移動自在に支持されるランナ１１が設けられている。第２壁材２０の幅方向一端側にも、レール６０にスライド移動自在に支持されるランナ２１が設けられている。そして、第１壁材１０の幅方向他端側は、上部に設けられたヒンジ４０を介して第２壁材２０の幅方向他端側に連結されている。尚、第１壁材１０及び第２壁材２０の下側部にもランナ１１，２１と同様のランナ（図示せず）をそれぞれ設け、これらのランナを床に設けたレール（図示せず）にスライド自在に支持させれば、第１壁材１０及び第２壁材２０の保持状態が安定するが、床にレールがない場合もあり、第１壁材１０及び第２壁材２０の下側部にランナが設けられていなくてもよい。
【００１８】
次に、第１壁材１０に設けられた天板３０について図１及び図２を参照して説明する。第１壁材１０の下部には、他の部位よりも薄肉に形成されることで、天板３０を収納する第１収納部１２が設けられている。この第１収納部１２には、天板３０が軸３１を中心として回転自在に収納されている。軸３１は第１収納部１２の上部に設けられている。天板３０は、図２（ａ）に示すように第１収納部１２内に全体が収納される第１状態と、図２（ｃ）（ｄ）に示すように第１収納部１２から外に出て、第１壁材１０の表面に対して略直交する第２状態との間で、支持部を構成する軸３１を中心として回転自在となっている。ここで、天板３０が第１収納部１２内に収納されるまで天板３０を回転させると天板３０をラッチし、その後さらに天板３０が押し込まれるとラッチが解除されて、天板３０を第１収納部１２の外側に押し出す機構が設けられていることも好ましい。尚、天板３０は第１状態において第１収納部１２内に全体が収納されているが、第１壁材１０に第１収納部１２が設けられておらず、第１状態において天板３０が第１壁材１０の表面に沿わせた状態で保持されるものでもよく、第２状態に比べて天板３０の出っ張り量を小さくできる。
【００１９】
第２壁材２０には、天板３０が第１壁材１０に対して略直交する位置まで回転した状態で、天板３０の側縁（第２壁材２０の表面に接する側縁）を保持する天板保持部５０が設けられている。天板保持部５０は、第２壁材２０の幅と略同じ長さの板状に形成されている。第２壁材２０には天板３０の上端位置に対応する高さ位置に溝２１（第２収納部）が形成されている。天板保持部５０は、溝２１内に収納される状態（図２（ａ）参照）と、溝２１から外にでて天板３０を支持する状態（図２（ｂ）参照）との間で、溝２１内に設けられた軸５２を中心に回転自在に支持されている。なお天板保持部５０が溝２１内に収納された状態では、第２壁材２０の表面（溝２１以外の部位）と天板保持部５０の表面との間に段差ができないようになっている。また天板保持部５０には、溝２１から外に出された状態で、天板３０の下面に設けられた溝３２に係止する突起５１が設けられている。尚、天板保持部５０を回転させて溝２１内に挿入させると天板保持部５０をラッチし、その後さらに天板保持部５０を溝２１内に押し込むとラッチが解除されて天板保持部５０を外側に押し出す機構が溝２１内に設けられていてもよい。また天板保持部５０は軸５２を中心として回転自在に支持されているが、天板保持部５０は第２壁材２０に対してスライド自在に支持されていても良い。この場合にも、天板保持部５０が溝２１内に押し込まれると天板保持部５０をラッチし、その後さらに天板保持部５０を溝２１内に押し込むとラッチが解除されて天板保持部５０を外側に押し出す機構が溝２１内に設けられていることが好ましい。
【００２０】
ここで、天板３０を使用する際には、ユーザは、第１壁材１０及び第２壁材２０をレール６０に沿って移動させ、図２（ａ）に示すように第１壁材１０と第２壁材２０とを略直角に交差させた状態とする。次にユーザは、天板３０を第１収納部１２に収納された状態から、第１収納部１２の外側に引き出して、天板３０を９０度以上回転させる。その後、ユーザは、天板保持部５０を回転させて溝２１から外側に出し、天板３０を下側に下ろすと、天板３０の溝３２と天板保持部５０の突起５１とが係合し、天板３０が天板保持部５０によって支持される（図２（ｃ）（ｄ）参照）。この状態では、天板３０が、第１壁材１０及び第２壁材２０に対してそれぞれ略垂直となるように支持され、天板３０を作業面として使用することができる。尚、第１壁材１０と第２壁材２０とが略直角に交差するように、第１壁材１０と第２壁材２０とを開いた状態で、第１壁材１０と第２壁材２０との相対的な位置関係をラッチするラッチ部材（図示せず）が第１壁材１０及び第２壁材２０に設けられていてもよい。
【００２１】
また天板３０を第１収納部１２内に収納する場合には、図２（ｃ）（ｄ）に示す状態からユーザが天板３０の先端を上側に持ち上げて、溝３２の外に突起５１を出した後、天板保持部５０を回転させて溝２１内に収納させる。その後、ユーザが、天板３０を下ろして、第１収納部１２内に収納される位置まで天板３０を回転させると、天板３０の表面と第１壁材１０の表面とが面一となった状態で天板３０が第１壁材に保持される。
【００２２】
次に可動間仕切り装置１の使用形態を図１に基づいて説明する。尚、図１では互いに連結された第１壁材１０と第２壁材２０との組を２組備えている。ここで、図１（ｂ）中左側の組の第２壁材２０と、図１（ｂ）中右側の組の第１壁材１０とがヒンジを介して連結されていれば、２組の第１壁材１０及び第２壁材２０を一続きの可動間仕切りとして使用することができる。また、隣接する組の壁材同士が連結されていなければ、第１壁材１０及び第２壁材２０の組を１つずつ個別に開閉することができる。
【００２３】
図１（ａ）は、第１壁材１０のランナ１１と第２壁材２０のランナ２１とを互いに近付く方向にスライドさせることによって、第１壁材１０と第２壁材２０とがヒンジ４０を介して折り畳まれ、レール６０の片側に寄せられた状態（全開状態）を示している。この状態では部屋１００内が開放され、空間１０１，１０２が繋げられ、１部屋として使用することができる。
【００２４】
図１（ｂ）は、第１壁材１０のランナ１１と第２壁材２０のランナ２１とが互いに離れる方向へスライドさせることによって、第１壁材１０と第２壁材２０とがレール６０の配設方向に並んだ状態（全閉状態）を示している。この状態では部屋１００の内部が可動間仕切り装置１によって２つの空間１０１，１０２に仕切られている。
【００２５】
図１（ｃ）は全開状態と全閉状態との間の状態を示し、第１壁材１０のランナ１１と第２壁材２０のランナ２１とをレール６０に沿ってスライドさせることで、第１壁材１０と第２壁材２０とが略直角に交差した状態となっている。
【００２６】
この状態で、第１壁材１０の第１収納部１２に収納された天板３０を起こして、天板３０の上面が第１壁材１０及び第２壁材２０に対して略垂直となるように天板保持部５０で天板３０を保持させると、図１（ｄ）及び図４に示す状態となる。この状態では天板３０の上面が第１壁材１０及び第２壁材２０に対して略垂直な状態（すなわち水平な状態）で保持されるから、天板３０を簡易的な机として使用することができる。また、第１壁材１０と第２壁材２０とが略直角に交差した状態で、第１壁材１０と第２壁材２０とでできる隅に天板３０が配置されるから、天板３０に正対して置かれた椅子７０に座った人から見て、正面と一方の側面が壁材で閉塞されることになる。したがって、第１壁材１０と第２壁材２０とで半閉鎖的な空間を作ることができるから、天板３０を利用して、落ち着いた雰囲気で作業が行える。尚、第１壁材１０及び第２壁材２０と反対側の空間は開放されているので、椅子７０に座った人が感じる閉塞感を低減することができる。
【００２７】
以上説明したように、本実施形態の可動間仕切り装置１は、第１壁材１０と第２壁材２０と天板３０と天板保持部５０とを備える。第１壁材１０は、幅方向一端側が部屋の上部に設けたレール６０に沿って移動するように鉛直方向に沿って保持される。第２壁材２０は、幅方向一端側がレール６０に沿って移動するように鉛直方向に沿って保持され、幅方向他端側が第１壁材１０の幅方向他端側にヒンジ４０を介して連結されている。すなわち第１壁材１０及び第２壁材２０の幅方向一端側近傍に、ランナ１１，１２が設けられ、これらランナ１１，１２がレール６０上を移動することによって、結果として幅方向一端側がレール６０に沿って移動することになる。また天板３０は、第１壁材１０と第２壁材２０とを略直角に交差させた状態で、第１壁材１０及び第２壁材２０に対して、上面が略垂直になるように保持される。天板保持部５０は、第１壁材１０及び第２壁材２０の内の少なくとも何れか一方に設けられ、天板３０の使用時に、天板３０の上面が両壁材１０，２０に対して略垂直となるように天板３０を保持する。
【００２８】
これにより、第１壁材１０と第２壁材２０とを略直角に交差させた状態で、天板保持部５０によって、第１壁材１０及び第２壁材２０に対して上面が略垂直になるように天板３０が保持されるので、この天板３０を机として使用することができる。また、第１壁材１０と第２壁材２０とでできる隅に天板３０が配置されるから、第１壁材１０と第２壁材２０とで半閉鎖的な空間を作ることができ、天板３０を利用し、落ち着いた雰囲気で作業が行える。また、天板３０が配置される空間は、第１壁材１０や第２壁材２０によって完全には閉塞されていないので、ある程度の開放感を持たせることもできる。ここにおいて、本実施形態では、第１壁材１０と第２壁材２０とを略直角に略直角に交差させた状態で、第１壁材１０及び第２壁材２０に対して、天板３０の上面が略垂直になるように保持されるのであるが、第１壁材１０及び第２壁材２０が交差する角度は直角に限定されるものではない。すなわち、第１壁材１０及び第２壁材２０に対して、天板３０の上面が略垂直になるように保持できるのであれば、第１壁材１０及び第２壁材２０を斜めに交差させてもよい。また、第１壁材１０及び第２壁材２０に対して天板３０の上面が略垂直になるように保持されるとあるが、第１壁材１０及び第２壁材２０に対して天板３０の上面のなす角度は直角に限定されるものではなく、天板３０の上面を作業面として利用可能な角度範囲であればよい。尚、本実施形態では第２壁材２０に天板保持部５０が設けられているが、第１壁材１０側に天板保持部５０が設けられてもよいし、第１壁材１０と第２壁材２０の両方に天板保持部５０が設けられていてもよい。
【００２９】
また、本実施形態の可動間仕切り装置１では、天板３０の非使用時に、天板３０が第１壁材１０の表面に沿わせた状態で保持されている。
【００３０】
これにより、天板３０を使用しない場合には、天板３０が第１壁材１０の表面に沿わせた状態で保持されるから、非使用時に天板３０が邪魔にならず、また天板３０が目立ちにくくなる。尚、本実施形態では天板３０は第１壁材１０に対して回転自在に支持されているが、第１壁材１０と分離して設けられた天板３０が、第１壁材１０の第１収納部１２に収納されるようにしてもよい。すなわち、天板３０が第１収納部１２に着脱自在に収納され、天板３０を使用する際には第１収納部１２から天板３０を取り出し、第１壁材１０及び第２壁材２０に対して略垂直な状態で第１壁材１０及び第２壁材２０に保持させれば良い。
【００３１】
また本実施形態の可動間仕切り装置１では、天板３０が第１壁材１０の表面に沿わせた状態で保持される第１状態と、天板３０の上面が第１壁材１０の表面に対して略垂直となる第２状態との間で、天板３０を回転自在に支持する支持部（軸３１）が、第１壁材１０に設けられている。
【００３２】
これにより、天板３０を支持部の周りに回転させることで、第１状態と第２状態とを容易に切り替えることができる。また天板３０は、第１壁材１０に回転自在に支持されているので、天板３０を紛失する可能性を低減できる。
【００３３】
また本実施形態の可動間仕切り装置１では、天板３０の非使用時に、天板３０を第１壁材１０の表面に沿わせた状態で収納する第１収納部１２が第１壁材１０に設けられ、天板３０が第１収納部１２に収納された状態で、天板３０の表面と第１壁材１０の表面とが略同じ平面に納まっている。すなわち、天板３０の表面と第１壁材１０の表面との間に段差がほとんど無く、略等レベルとなっている。
【００３４】
これにより、天板３０が第１収納部１２に収納された状態で、第１壁材１０の表面と天板３０の表面との間にできる段差（凹凸）を少なくできるから、第１壁材１０の外観の見栄えが良くなり、意匠性を向上させることができる。
【００３５】
また本実施形態の可動間仕切り装置１では、第１壁材１０及び第２壁材２０の内、天板保持部５０が設けられた壁材（本実施形態では第２壁材２０）に、天板保持部５０が天板３０を保持しない状態において天板保持部５０を収納する第２収納部（上記の溝２１）が設けられている。
【００３６】
これにより、天板保持部５０を使用しない場合には天板保持部５０が第２収納部に収納されるから、非使用時において天板保持部５０が目立ちにくくなり、壁材の意匠性を向上させることができる。
【００３７】
尚、天板保持部５０は上記の実施形態に限定されるものではなく、天板３０を保持可能であれば、他の形態でもよい。
【００３８】
例えば図５（ａ）〜（ｃ）に示すように、天板保持部５３が、第２壁材２０に設けられた溝２２内に起伏自在に設けられた支持片５４で構成されていてもよい。支持片５４は、溝２２の上側に設けられた軸２３を中心に回転自在に支持され、図５（ｃ）中の左回りに回転して溝２２内に収納される位置と、図５（ｃ）中の右回りに回転して溝２２の外に出る位置（天板３０の下面と当接する位置）との間で移動自在となっている。支持片５４は、収納状態から約９０度回転して図５（ｃ）に示す位置まで移動した状態でラッチされており、この状態で天板３０の下面に設けられた突起３３が係止する溝５４が設けられている。而して、第１壁材１０に対して天板３０が略垂直となる位置まで回転させた状態で、支持片５４を溝２２の外側に出し、突起３３と溝５４とを係止させることによって天板５０が保持されるようになっている。尚、この場合にも、支持片５４が溝２２内に押し込まれると支持片５４を収納状態でラッチし、その後さらに支持片５４を溝２２内に押し込むとラッチが解除されて支持片５４を外側に出す機構が溝２２内に設けられていることが好ましい。
【００３９】
また図６（ａ）〜（ｃ）に示すように、第２壁材２０に対して、第２壁材２０の表面と平行な面内で回転自在に取り付けられた支持片５６で天板保持部５５が構成されていてもよい。支持片５６の一端側は、第２壁材２０に設けられた軸５７に回転自在に支持されており、図６（ａ）（ｂ）に示すように鉛直方向に起立した状態と、図６（ｃ）に示すように水平方向に倒れた状態との間で回転自在となっている。この支持片５６には、図６（ｃ）に示すように天板３０が第１壁材１０に対して略直交する位置まで回転した状態で、第１壁材１０の表面（図６（ｃ）における下面）に設けられた突起３４が係合する溝５８が形成されている。この支持片５６は、鉛直方向に起立した状態から水平方向に倒れた状態まで図６中左回りに回転すると、第２壁材２０に設けられた回り止め（図示せず）に当接することでそれ以上回転できないようになっている。而して、支持片５６が水平方向に倒れた状態で、天板３０の突起３４が支持片５６の溝５８に係合することによって、天板３０が第１壁材１０に対して略直交する状態で保持されるのである。尚、天板３０を第１収納部１２内に収納する場合には、図６（ｃ）に示す状態から天板３０の先端側を上側に持ち上げて、突起３４を溝５８から外に出した後、天板保持部５０を図中右回りに回転させて、天板保持部５０を起立させた状態とする。天板保持部５０が鉛直方向に沿うように起立した状態では天板３０は天板保持部５０に干渉せず、天板３０を図中右回りに回転させることで、天板３０を第１収納部１２内に収納させることができる。
【符号の説明】
【００４０】
１  可動間仕切り装置
１０  第１壁材
２０  第２壁材
３０  天板
４０  ヒンジ
５０  天板保持部
６０  レール
【図１】
2012225092.tif 000003
【図２】
2012225092.tif 000004
【図３】
2012225092.tif 000005
【図４】
2012225092.tif 000006
【図５】
2012225092.tif 000007
【図６】
2012225092.tif 000008